(57)【特許請求の範囲】
【請求項１】
荷台上に車両を積載して運搬する車両運搬車において、
荷台の後部で車両の左右位置を検出する左右位置検出器と、荷台の前部で車両の前後位置を検出する前後位置検出器と、前記左右位置検出器と前後位置検出器の検出信号に基づいて車両の位置に関する警報を発する警報器とを備え、
前記左右位置検出器は、車両の左側の位置を検出する左側位置検出器と、車両の右側の位置を検出する右側位置検出器とを有して構成され、
前記警報器は、荷台前枠上の左側に設けられて前記左側位置検出器の検出信号に基づいて車両の左側の位置に関する視認可能な警報を発する左側位置警報器と、荷台前枠上の中央部に設けられて前記前後位置検出器の検出信号に基づいて車両の前後位置に関する視認可能な警報を発する前後位置警報器と、荷台前枠上の右側に設けられて前記右側位置検出器の検出信号に基づいて車両の右側の位置に関する視認可能な警報を発する右側位置警報器とを有して構成されていることを特徴とする車両運搬車の警報装置。
【請求項２】
請求項１に記載の車両運搬車の警報装置であって、当該警報装置の電源は、前記荷台の移動手段の動力源である車両運搬車のパワーテイクオフと連動しており、荷台を後方へ移動させるときに、前記パワーテイクオフがｏｎとなるのに連動して自動的にｏｎとなり、荷台を前方へ移動させた後に、前記パワーテイクオフがｏｆｆとなるのに連動して自動的にｏｆｆとなるように構成されていることを特徴とする車両運搬車の警報装置。
【発明の詳細な説明】
【０００１】
【発明の属する技術分野】
本発明は、荷台上に車両を積載して運搬する車両運搬車において、積載される車両の位置に関する所要の警報を発することにより、車両を荷台上の所定の積載位置へ安全かつ容易に積み込めるようにする車両運搬車の警報装置に関するものである。
【０００２】
【従来の技術】
車両運搬車は、シャーシ上に後方へ傾斜する荷台を備えており、傾斜した荷台の後端部が地面に接した状態で、車両を荷台上に積み込むようになっている。
従来、車両運搬車の荷台上に車両を積み込む場合、運転者が積載する車両のサイドミラーで荷台と車両との左右の位置関係を確認し、また、荷台前枠のミラーで積載する車両の前部と荷台前枠との間隔を確認しながら、車両を荷台上まで自走させ、所定の積載位置で停止させるようにしていた。
【０００３】
【発明が解決しようとする課題】
しかしながら、車両のサイドミラーで荷台と車両との左右の位置関係を確認し、荷台前枠のミラーで積載する車両の前部と荷台前枠との間隔を確認しながら、車両を荷台上まで自走させ、所定の積載位置に停止させるという作業は熟練を要し、運転者の経験が浅く技能が未熟であるような場合には、積載位置が一定しないばかりでなく、操縦ミスで車両を荷台に接触させ損傷させてしまうという問題があった。
【０００４】
本発明は、車両運搬車の荷台上に車両を積み込む場合における上記課題を解決するものであって、積載する車両の位置に関する所要の警報を発することにより、車両を荷台上の所定の積載位置へ安全かつ容易に積み込めるようにする車両運搬車の警報装置を提供することを目的とする。
【０００５】
【課題を解決するための手段】
本発明では、荷台上に車両を積載して運搬する車両運搬車において、荷台の後部で車両の左右位置を検出する左右位置検出器と、荷台の前部で車両の前後位置を検出する前後位置検出器と、前記左右位置検出器と前後位置検出器の検出信号に基づいて車両の位置に関する警報を発する警報器とを設けることにより上記課題を解決している。
【０００６】
本発明の車両運搬車の警報装置は、車両運搬車の荷台上に車両を積み込む場合、車両の左右位置が荷台中央の適正な位置から左または右に寄りすぎているとき、左右位置検出器の検出信号に基づいて、警報器が車両の左または右への位置ずれを知らせる警報を発する。
この警報によって、運転者は車両の左右方向のずれを修正して、車両を荷台中央の適正な位置に乗り入れることができる。
【０００７】
また、車両が前進して所定の積載位置に到達すると前後位置検出器の検出信号に基づいて、警報器が車両の積載位置への到達を知らせる警報を発する。
この警報によって、運転者は車両を所定の積載位置に停止させることができる。
従って、運転者が熟練していなくとも、車両を荷台に接触させ損傷させてしまうような操縦ミスが防止され、車両を荷台上の所定の積載位置へ安全かつ容易に積み込むことができる。
【０００８】
【発明の実施の形態】
図１は、本発明の実施の一形態である警報装置を備えた車両運搬車の平面図、図２は自動車の積み込み状態を示す車両運搬車の側面図、図３は警報装置の警報発生の流れを示す流れ図である。
この車両運搬車１は、シャーシ１１上に荷台１２を備えており、図２のように荷台１２を後方へ移動させ、傾斜した荷台１２の後端部が地面に接した状態で、自動車１５等の車両を荷台１２上に積み込むようになっている。荷台１２の後端部には後煽り１３が取り付けられている。後煽り１３は、積み込みを行うときには、図示のように後へ倒して自動車１５の乗り込みを容易にし、積み込みが終わったら自動車１５が荷台１２の後方から脱落しないように起立させ、その後に荷台１２を前方に移動させる。
【０００９】
この車両運搬車１では、荷台１２の後部の左右両側に、積載する自動車１５の左右位置を検出する左右位置検出器として、超音波センサー２Ｌ（左側位置検出器）、および超音波センサー２Ｒ（右側位置検出器）が埋め込まれている。荷台１２の前部には、自動車１５の前後位置を検出する前後位置検出器として超音波センサー２Ｆが埋め込まれている。荷台前枠１４上の左右両側には、自動車１５が荷台中央の適正な位置から左または右に寄りすぎているとき、超音波センサー２Ｌ、２Ｒの検出信号に基づいて点灯し、自動車１５の左または右への位置ずれを知らせる警報ランプ３Ｌ（左側位置警報器）、および警報ランプ３Ｒ（右側位置警報器）が設置されている。
【００１０】
また、荷台前枠１４上の中央部には、自動車１５が前進して所定の積載位置に達したとき、超音波センサー２Ｆの検出信号に基づいて点灯し、自動車１５の積載位置到達を知らせる警報ランプ３Ｆ（前後位置警報器）が設置されている。さらに、この車両運搬車１には、警報ランプ３Ｌ、３Ｒ、３Ｆの点灯と同時に警報音を発する警音器（図示略）が設けられている。なお、上記超音波センサー２Ｌ、２Ｒ、２Ｆ、警報ランプ３Ｌ、３Ｒ、３Ｆ、および警音器からなる警報装置の電源は、荷台１２の移動手段（図示略）の動力源である車両運搬車１のパワーテイクオフ（ＰＴＯ）のｏｎ−ｏｆｆと連動して自動的にｏｎ−ｏｆｆされるように構成されている。
【００１１】
車両運搬車１の荷台１２上に自動車１５を積み込む場合、先ず荷台１２を後方へ移動させ、傾斜した荷台１２の後端部が地面に接した状態で後煽り１３を後へ倒し、自動車１５を前進走行させる。
警報装置の電源は、荷台１２を後方へ移動させるとき、車両運搬車１のＰＴＯがonとなるのに連動して自動的にonとなる。
【００１２】
自動車１５を荷台１２上に乗り入れたときの左右位置に関する警報は、図３（ａ）に示すようにして行われる。
自動車１５が荷台１２上に乗り入れたとき中央の適正な位置にあれば、自動車１５の車幅が左右の超音波センサー２Ｌ、２Ｒ間の距離より広い場合には左右の超音波センサー２Ｌ、２Ｒは何れもonとなり、自動車１５の車幅が左右の超音波センサー２Ｌ、２Ｒ間の距離より狭い場合には左右の超音波センサー２Ｌ、２Ｒは何れもoff となるので、警報ランプ３Ｌ、３Ｒは消灯され、警音器は警報音を発しない。
自動車１５の左右位置が荷台１２中央の適正な位置から右に寄りすぎていると、右の超音波センサー２Ｒがon、左の超音波センサー２Ｌがoff となるので、警報ランプ３Ｒが点灯すると共に、警音器が警報音を発し、運転者に自動車１５の右への位置ずれを知らせる。
【００１３】
自動車１５の左右位置が荷台１２中央の適正な位置から左に寄りすぎていると、右の超音波センサー２Ｒがoff 、左の超音波センサー２Ｌがonとなるので、警報ランプ３Ｌが点灯すると共に、警音器が警報音を発し、運転者に自動車１５の左への位置ずれを知らせる。
この警報によって、運転者は自動車１５の左右方向のずれを修正して、自動車１５を荷台１２の中央の適正な位置に乗り入れることができる。
【００１４】
自動車１５の前後位置に関する警報は、図３（ｂ）に示すようにして行われる。
自動車１５が前進して所定の積載位置に達すると超音波センサー２Ｆがonとなり、警報ランプ３Ｆが点灯すると共に、警音器が警報音を発し、自動車１５の積載位置到達を知らせる。
この警報によって、運転者は自動車１５を所定の積載位置に停止させることができる。
従って、運転者が熟練していなくとも、自動車１５を荷台１２に接触させ損傷させてしまうような操縦ミスが防止され、自動車１５を荷台１２上の所定の積載位置へ安全かつ容易に積み込むことができる。
【００１５】
自動車１５の積み込みが終わったら、自動車１５が荷台１２の後方から脱落しないように後煽り１３を起立させた後、荷台１２を前方へ移動させる。
荷台１２の移動後、車両運搬車１のＰＴＯをoff にすると、警報装置の電源はこれに連動して自動的にoff となるので、警報ランプ３Ｆが消灯すると共に、警音器の警報音も停止される。
この警報装置では、警報器として警報ランプと警音器が用いられているが、警報器には、警報ランプ、警音器の他、ディスプレイへの警報表示、音声による警報メッセッージ等、任意の手段を単独で又は複合して用いることができる。
【００１６】
【発明の効果】
以上説明したように、本発明の車両運搬車の警報装置は、車両を荷台に接触させ損傷させてしまうような操縦ミスが防止され、車両を荷台上の所定の積載位置へ安全かつ容易に積み込むことができる。
【図面の簡単な説明】
【図１】本発明の実施の一形態である警報装置を備えた車両運搬車の平面図である。
【図２】自動車の積み込み状態を示す車両運搬車の側面図である。
【図３】警報装置の警報発生の流れを示す流れ図である。
【符号の説明】
１      車両運搬車
２Ｌ、２Ｒ、２Ｆ    超音波センサー
３Ｌ、３Ｒ、３Ｆ    警報ランプ
１１    シャーシ
１２    荷台
１３    後煽り
１４    荷台前枠
１５    自動車
【図１】
0004097060.tif 000002
【図２】
0004097060.tif 000003
【図３】
0004097060.tif 000004